(57)【要約】      （修正有）【課題】ノズルヘッドの取り回し角度がより広範囲な散水ノズル用ヘッド部を提供する。【解決手段】給水手段から流路を介して水が噴射されるノズル口を備えた散水ヘッド部と、散水ヘッド部の噴射方向を流路に対して変更するヘッド角度変更手段１４とを備えた散水ノズル用ヘッド部であって、ヘッド角度変更手段が、給水手段側の流路に連通された第１容器半体３１と、散水ヘッド部側の流路に連通された第２容器半体３２と、第１容器半体と第２容器半体とが互いに同一口径の開口端同士を突き合わせて閉じられた状態で内部に形成されている流路の一部となる連通空間とを有し、第１容器半体及び第２容器半体の突き合わされた開口端同士が円形であり、互いの円形開口端が相対回動可能に第１容器半体と第２容器半体とを円形の中心位置で連結保持する回動軸３５を備えるように構成する。【選択図】図４
0003228957.tif 000002
【実用新案登録請求の範囲】
【請求項１】
給水手段から流路を介して水が噴射されるノズル口を備えた散水ヘッド部と、前記散水ヘッド部の噴射方向を前記流路に対して変更するヘッド角度変更手段とを備えた散水ノズル用ヘッド部であって、
前記ヘッド角度変更手段が、
前記給水手段側の流路に連通された第１容器半体と、前記散水ヘッド部側の流路に連通された第２容器半体と、前記第１容器半体と前記第２容器半体とが互いに同一口径の開口端同士を突き合わせて閉じられた状態で内部に形成されている流路の一部となる連通空間とを有し、
前記第１容器半体及び前記第２容器半体の突き合わされた開口端同士が円形であり、互いの円形開口端が相対回動可能に前記第１容器半体と前記第２容器半体とを前記円形の中心位置で連結保持する回動軸を備えたことを特徴とする散水ノズル用ヘッド部。
【請求項２】
給水手段から流路を介して水が噴射されるノズル口を備えた散水ヘッド部と、前記散水ヘッド部の噴射方向を前記流路に対して変更するヘッド角度変更手段とを備えた散水ノズル用ヘッド部であって、
前記ヘッド角度変更手段が、
前記給水手段側の流路に連通された第１容器半体と、前記散水ヘッド部側の流路に連通された第２容器半体と、前記第１容器半体と前記第２容器半体とが互いに同一口径の開口端同士を突き合わせて閉じられた内部に形成されている流路の一部となる連通空間とを有し、
前記第１容器半体及び前記第２容器半体の突き合わされた開口端同士が円形であり、互いの円形開口端が相対回動可能に前記第１容器半体と前記第２容器半体とを前記円形の中心位置で連結保持する回動軸を備え、
前記第１容器半体と前記給水手段側の流路と連通する第１管路が前記回動軸に対して第１容器半体の偏向位置から延出して形成され、前記第２容器半体と前記散水ヘッド部側の流路と連通する第２管路が前記回動軸に対して第２容器半体の偏心位置から延出して形成され、
前記第１管路から前記第１容器半体に至る旋回流と、前記第２容器半体から前記第２管路に至る旋回流との旋回方向が同じ向きになる配置で前記第１管路と第２管路とが前記連通空間を介して連通されていることを特徴とする散水ノズル用ヘッド部。
【請求項３】
給水手段から流路を介して水が噴射されるノズル口を備えた散水ヘッド部と、前記散水ヘッド部の噴射方向を前記流路に対して変更するヘッド角度変更手段とを備えた散水ノズル用ヘッド部であって、
前記散水ヘッド部が、数種類の噴射水形を噴射する多数のノズル口を回転して切換える回転式ノズルヘッドを備え、
前記ヘッド角度変更手段が、
前記給水手段側の流路に連通された第１容器半体と、前記散水ヘッド部側の流路に連通された第２容器半体と、前記第１容器半体と前記第２容器半体とが互いに同一口径の開口端同士を突き合わせて閉じられた内部に形成されている流路の一部となる連通空間とを有し、
前記第１容器半体及び前記第２容器半体の突き合わされた開口端同士が円形であり、互いの円形開口端が相対回動可能に前記第１容器半体と前記第２容器半体とを前記円形の中心位置で連結保持する回動軸を備え、
前記第１容器半体と前記給水手段側の流路と連通する第１管路が前記回動軸に対して第１容器半体の偏向位置から延出して形成され、前記第２容器半体と前記散水ヘッド部側の流路と連通する第２管路が前記回動軸に対して第２容器半体の偏心位置から延出して形成され、
前記第１管路から前記第１容器半体に至る旋回流と、前記第２容器半体から前記第２管路に至る旋回流との旋回方向が同じ向きになる配置で前記第１管路と第２管路とが前記連通空間を介して連通されていることを特徴とする散水ノズル用ヘッド部。
【請求項４】
内部に流路管を備えた本体部と、本体部の後端部に設けられ、給水手段からの水の取入れ口を有する片手持ちグリップ部と、前記本体部の先端部に設けられた散水ヘッド部と、前記本体部内部に設けられ、前記片手持ちグリップ部から前記散水ヘッド部に連通する流路と、前記散水ヘッド部の噴射方向を前記流路に対して変更するヘッド角度変更手段とを備え、
前記本体部には、前記片手持ちグリップ部を把持する一方の手と共に他方の手で前記本体部を支持可能な把持領域を含む長さを備えた散水ノズルであって、
前記片手持ちグリップ部の散水ヘッド部側に配された前記流路を閉塞可能なバルブコック部と、
前記散水ヘッド部が、数種類の噴射水形を噴射する多数のノズル口を回転して切換える回転式ノズルヘッドを備え、
前記バルブコック部が、
回転位置によって前記流路に対する閉塞状態と開放状態との間で変位可能な円筒体の一部を切欠いた回転弁体と、
前記回転弁体を前記片手持ちグリップ部を把持する一方の手の指で任意の回転位置に変更可能なレバー部とを備え、
前記ヘッド角度変更手段が、
前記片手持ちグリップ部側の流路に連通された第１容器半体と、前記散水ヘッド部側の流路に連通された第２容器半体と、前記第１容器半体と前記第２容器半体とが互いに同一口径の開口端同士を突き合わせて閉じられた内部に形成されている流路の一部となる連通空間とを有し、
前記第１容器半体及び前記第２容器半体の突き合わされた開口端同士が円形であり、互いの円形開口端が相対回動可能に前記第１容器半体と前記第２容器半体とを前記円形の中心位置で連結保持する回動軸を備え、
前記第１容器半体と前記片手持ちグリップ部側の流路と連通する第１管路が前記回動軸に対して第１容器半体の偏向位置から延出して形成され、前記第２容器半体と前記散水ヘッド部側の流路と連通する第２管路が前記回動軸に対して第２容器半体の偏心位置から延出して形成され、
前記第１管路から前記第１容器半体に至る旋回流と、前記第２容器半体から前記第２管路に至る旋回流との旋回方向が同じ向きになる配置で前記第１管路と第２管路とが前記連通空間を介して連通されていることを特徴とする散水ノズル。
【考案の詳細な説明】
【技術分野】
【０００１】
本考案は、例えば洗車の際や庭の草木等に散水する際に使用するノズルヘッドを先端部に保持した散水ノズル用ヘッド部及び散水ノズルに関するものである。
【背景技術】
【０００２】
従来より、洗車を始め、三和土やコンクリート面の洗浄等の清掃作業や、庭の草木等の散水等の園芸作業に使用する散水ノズルとしては、水道の蛇口に一端部を連通して固定された散水ホースの他端部に配されて使用される。このような散水ノズルとしては、ホースの他端部を把持部に接続されたピストル（拳銃）タイプの散水ノズルが主流である（例えば、特許文献１参照）。
【０００３】
即ち、従来からの主流のピストルタイプの散水ノズルとしては、把持部の下端にホース連結部が設けられ、把持部の前面には散水流量のオン・オフ又は散水流量を調整可能な引き金（トリガー）式の把持レバーが設けられ、把持部の上部には、先端の銃口に相当する部分に散水ノズル口が設けられた銃身状のノズル保持部が設けられている。
【先行技術文献】
【特許文献】
【０００４】
【特許文献１】特開平９−９９２５７号公報
【考案の概要】
【考案が解決しようとする課題】
【０００５】
このようなピストルタイプの散水ノズルにおいては、洗車作業において、車の天井部分の汚れ等を洗い流す際には、作業者の腕を高く伸ばすか、作業者自体が高台に乗る必要があった。また、園芸の際の水やりや、高い位置からの散水についても、作業者の腕を高く伸ばすか、作業者自体が高台に乗る必要があった。
【０００６】
また、ピストルタイプの散水ノズルにおいては、作業者は、把持部を握った状態で、引き金式の把持レバーを引くことにより、ノズル保持部先端の散水ノズル口から水が放出される。この場合、把持レバーはスプリング等の弾性部材で把持力を弱めると、把持レバーが戻り、散水流量を低減させて、オフ状態となる。
【０００７】
弾性部材で戻り方向に力が働いている把持レバーを常に引いた状態を維持するには作業者への負担が大きくなる。そのため、把持レバーを一定の開状態に保持するストッパーを備えたものも存在するが、任意の散水流量を維持するものではなく、状況に応じて任意の散水量を維持する機構が望まれていた。
【０００８】
また、ノズルヘッドと把持部とがパイプの両端部分に備わり、ノズルヘッドがパイプに対して曲折可能なロングノズルタイプの散水ノズルも市販されているが、先端部のノズルヘッドの曲折角度が狭く、特に、洗車の際にタイヤ周りの泥跳ねの洗浄を行う際に、より深い角度に曲折することの要望もあった。
【０００９】
本考案は、ノズルヘッドの取り回し角度がより広範囲な散水ノズル用ヘッド部を得ることを目的とする。更に加えて、作業者が腕を伸ばさずとも高位から散水可能で、把持力を維持しなくても任意の散水流量を維持することができる散水ノズル用ヘッド部及び散水ノズルを得ることを目的とする。
【課題を解決するための手段】
【００１０】
請求項１に記載された考案に係る散水ノズル用ヘッド部は、給水手段から流路を介して水が噴射されるノズル口を備えた散水ヘッド部と、前記散水ヘッド部の噴射方向を前記流路に対して変更するヘッド角度変更手段とを備えた散水ノズル用ヘッド部であって、
前記ヘッド角度変更手段が、
前記給水手段側の流路に連通された第１容器半体と、前記散水ヘッド部側の流路に連通された第２容器半体と、前記第１容器半体と前記第２容器半体とが互いに同一口径の開口端同士を突き合わせて閉じられた状態で内部に形成されている流路の一部となる連通空間とを有し、
前記第１容器半体及び前記第２容器半体の突き合わされた開口端同士が円形であり、互いの円形開口端が相対回動可能に前記第１容器半体と前記第２容器半体とを前記円形の中心位置で連結保持する回動軸を備えたことを特徴とするものである。
【００１１】
請求項２に記載された考案に係る散水ノズル用ヘッド部は、給水手段から流路を介して水が噴射されるノズル口を備えた散水ヘッド部と、前記散水ヘッド部の噴射方向を前記流路に対して変更するヘッド角度変更手段とを備えた散水ノズル用ヘッド部であって、
前記ヘッド角度変更手段が、
前記給水手段側の流路に連通された第１容器半体と、前記散水ヘッド部側の流路に連通された第２容器半体と、前記第１容器半体と前記第２容器半体とが互いに同一口径の開口端同士を突き合わせて閉じられた内部に形成されている流路の一部となる連通空間とを有し、
前記第１容器半体及び前記第２容器半体の突き合わされた開口端同士が円形であり、互いの円形開口端が相対回動可能に前記第１容器半体と前記第２容器半体とを前記円形の中心位置で連結保持する回動軸を備え、
前記第１容器半体と前記給水手段側の流路と連通する第１管路が前記回動軸に対して第１容器半体の偏向位置から延出して形成され、前記第２容器半体と前記散水ヘッド部側の流路と連通する第２管路が前記回動軸に対して第２容器半体の偏心位置から延出して形成され、
前記第１管路から前記第１容器半体に至る旋回流と、前記第２容器半体から前記第２管路に至る旋回流との旋回方向が同じ向きになる配置で前記第１管路と第２管路とが前記連通空間を介して連通されていることを特徴とするものである。
【００１２】
請求項３に記載された考案に係る散水ノズル用ヘッド部は、給水手段から流路を介して水が噴射されるノズル口を備えた散水ヘッド部と、前記散水ヘッド部の噴射方向を前記流路に対して変更するヘッド角度変更手段とを備えた散水ノズル用ヘッド部であって、
前記散水ヘッド部が、数種類の噴射水形を噴射する多数のノズル口を回転して切換える回転式ノズルヘッドを備え、
前記ヘッド角度変更手段が、
前記給水手段側の流路に連通された第１容器半体と、前記散水ヘッド部側の流路に連通された第２容器半体と、前記第１容器半体と前記第２容器半体とが互いに同一口径の開口端同士を突き合わせて閉じられた内部に形成されている流路の一部となる連通空間とを有し、
前記第１容器半体及び前記第２容器半体の突き合わされた開口端同士が円形であり、互いの円形開口端が相対回動可能に前記第１容器半体と前記第２容器半体とを前記円形の中心位置で連結保持する回動軸を備え、
前記第１容器半体と前記給水手段側の流路と連通する第１管路が前記回動軸に対して第１容器半体の偏向位置から延出して形成され、前記第２容器半体と前記散水ヘッド部側の流路と連通する第２管路が前記回動軸に対して第２容器半体の偏心位置から延出して形成され、
前記第１管路から前記第１容器半体に至る旋回流と、前記第２容器半体から前記第２管路に至る旋回流との旋回方向が同じ向きになる配置で前記第１管路と第２管路とが前記連通空間を介して連通されていることを特徴とするものである。
【００１３】
請求項４に記載された考案に係る散水ノズルは、内部に流路管を備えた本体部と、本体部の後端部に設けられ、給水手段からの水の取入れ口を有する片手持ちグリップ部と、前記本体部の先端部に設けられた散水ヘッド部と、前記本体部内部に設けられ、前記片手持ちグリップ部から前記散水ヘッド部に連通する流路と、前記散水ヘッド部の噴射方向を前記流路に対して変更するヘッド角度変更手段とを備え、
前記本体部には、前記片手持ちグリップ部を把持する一方の手と共に他方の手で前記本体部を支持可能な把持領域を含む長さを備えた散水ノズルであって、
前記片手持ちグリップ部の散水ヘッド部側に配された前記流路を閉塞可能なバルブコック部と、
前記散水ヘッド部が、数種類の噴射水形を噴射する多数のノズル口を回転して切換える回転式ノズルヘッドを備え、
前記バルブコック部が、
回転位置によって前記流路に対する閉塞状態と開放状態との間で変位可能な円筒体の一部を切欠いた回転弁体と、
前記回転弁体を前記片手持ちグリップ部を把持する一方の手の指で任意の回転位置に変更可能なレバー部とを備え、
前記ヘッド角度変更手段が、
前記片手持ちグリップ部側の流路に連通された第１容器半体と、前記散水ヘッド部側の流路に連通された第２容器半体と、前記第１容器半体と前記第２容器半体とが互いに同一口径の開口端同士を突き合わせて閉じられた内部に形成されている流路の一部となる連通空間とを有し、
前記第１容器半体及び前記第２容器半体の突き合わされた開口端同士が円形であり、互いの円形開口端が相対回動可能に前記第１容器半体と前記第２容器半体とを前記円形の中心位置で連結保持する回動軸を備え、
前記第１容器半体と前記片手持ちグリップ部側の流路と連通する第１管路が前記回動軸に対して第１容器半体の偏向位置から延出して形成され、前記第２容器半体と前記散水ヘッド部側の流路と連通する第２管路が前記回動軸に対して第２容器半体の偏心位置から延出して形成され、
前記第１管路から前記第１容器半体に至る旋回流と、前記第２容器半体から前記第２管路に至る旋回流との旋回方向が同じ向きになる配置で前記第１管路と第２管路とが前記連通空間を介して連通されていることを特徴とするものである。
【考案の効果】
【００１４】
本考案は、作業者が腕を伸ばさずとも高位から散水可能で、ノズルヘッドの取り回し角度がより広範囲な散水ノズルを得ることができる。更に加えて、把持力を維持しなくても任意の散水流量を維持することができるという効果がある。
【図面の簡単な説明】
【００１５】
【図１】本考案のヘッド部を備えた散水ノズルの一実施例の構成を示す説明図であり、ａ図は全体図、ｂ図はグリップ部の拡大構成図、ｃ図は泡発生容器を接続した状態を示す説明図である。
【図２】図１の散水ノズルの片手持ちグリップ部の構成を示す説明図であり、ａ図は断面図、ｂ図はバルブコック部の分解図である。
【図３】図１のバルブコック部の動作状態を示す断面図であり、ａ図は閉塞時、ｂ図は半開放時、ｃ図は全開放時の状態を示す。
【図４】図１の散水ノズルのヘッド部の構成を示す説明図であり、ａ図は散水ヘッド部とヘッド角度変更手段との外形図、ｂ図は散水ヘッド部とヘッド角度変更手段との断面図、ｃ図はヘッド角度変更手段の分解構成図、ｄ図は散水ヘッド部の先端面の拡大図である。
【考案を実施するための形態】
【００１６】
本考案においては、給水手段から流路を介して水が噴射されるノズル口を備えた散水ヘッド部と、散水ヘッド部の噴射方向を流路に対して変更するヘッド角度変更手段とを備えた散水ノズル用ヘッド部であって、ヘッド角度変更手段が、給水手段側の流路に連通された第１容器半体と、散水ヘッド部側の流路に連通された第２容器半体と、第１容器半体と第２容器半体とが互いに同一口径の開口端同士を突き合わせて閉じられた状態で内部に形成されている流路の一部となる連通空間とを有し、第１容器半体及び第２容器半体の突き合わされた開口端同士が円形であり、互いの円形開口端が相対回動可能に第１容器半体と第２容器半体とを円形の中心位置で連結保持する回動軸を備える。これにより、散水ヘッド部の取り回し角度がより広範囲となる。
【００１７】
即ち、本考案の散水ノズル用ヘッド部としては、散水ヘッド部の噴射方向を流路に対して変更するヘッド角度変更手段によって、散水ヘッド部の取り回し角度がより広範囲となる。
【００１８】
本考案のヘッド角度変更手段としては、給水手段側の流路に連通された第１容器半体と、散水ヘッド部側の流路に連通された第２容器半体と、第１容器半体と第２容器半体とが互いに同一口径の開口端同士を突き合わせて閉じられた状態で内部に形成されている流路の一部となる連通空間とを有し、第１容器半体及び第２容器半体の突き合わされた開口端同士が円形であり、互いの円形開口端が相対回動可能に第１容器半体と第２容器半体とを円形の中心位置で連結保持する回動軸を備えることにより、連結された第１容器半体及び第２容器半体を回動軸周りに相対的に回動することができる。この際には、第２容器半体に連通された散水ノズル部が本体部に当接するまでの取り回し角度の広範囲の領域を回動することができる。このため、例えば洗車の際にタイヤ周りの泥跳ねの洗浄を行う際に、より深い角度に曲折することができる。
【００１９】
本考案の第１容器半体や第２容器半体としては、円筒の開口端同士を突き合わせたもの、円錐の底面側の開口端同士を突き合わせたもの、円錐台同士の大きい円の開口端同士を突き合わせたもの、半球の赤道縁同士を突き合わせたもの、扁平な半球の赤道縁同士を突き合わせたもの、ラグビーボールのような長球の半分同士を突き合わせたもの等が選ばれる。
【００２０】
より好ましくは、第１容器半体と給水手段側の流路と連通する第１管路が回動軸に対して第１容器半体の偏向位置から延出して形成される。また、第２容器半体と散水ヘッド部側の流路と連通する第２管路が回動軸に対して第２容器半体の偏心位置から延出して形成される。加えて、第１管路から第１容器半体に至る旋回流と、第２容器半体から第２管路に至る旋回流との旋回方向が同じ向きになる配置で第１管路と第２管路とが連通空間を介して連通される。このため、第１管路から第２管路に至る連通空間を流れる流れは回動軸周りに流れる旋回流となるため、滞り部分がないために水撃がなく、滑らかな流れとなり、ノズルから噴射される噴流が均一となる。また、散水ヘッド部が、回転式ノズルヘッド等によって相違する噴射水形を切換えて噴射する数種類のノズル口を備えたものでも、各々のノズル口からの噴流が安定する利点を備える。
【００２１】
また、別の考案の散水ノズルは、前述の散水ヘッド部を備える散水ノズルである。具体的には、内部に流路管を備えた本体部と、本体部の後端部に設けられ、給水手段からの水の取入れ口を有する片手持ちグリップ部と、本体部の先端部に設けられた散水ヘッド部と、本体部内部に設けられ、片手持ちグリップ部から散水ヘッド部に連通する流路と、散水ヘッド部の噴射方向を流路に対して変更するヘッド角度変更手段とを備え、本体部には、片手持ちグリップ部を把持する一方の手と共に他方の手で本体部を支持可能な把持領域を含む長さを備えた散水ノズルである。
【００２２】
片手持ちグリップ部の散水ヘッド部側に配された流路を閉塞可能なバルブコック部が、回転位置によって流路に対する閉塞状態と開放状態との間で変位可能な円筒体の一部を切欠いた回転弁体と、回転弁体を片手持ちグリップ部を把持する一方の手の指で任意の回転位置に変更可能なレバー部とを備えることにより、片手持ちグリップ部を把持する手の指でレバー部を操作して回転弁体を任意の回転位置に変位させるだけで、任意の散水流量に調整でき、把持力を維持しなくてもその水量を維持することができる。
【００２３】
より具体的なバルブコック部としては、散水ヘッド部側の流路に連通する部分に貫通孔を形成し、円筒体の一部を切欠いた回転弁体がこの貫通孔の全てを閉塞する閉塞部を備え、回転弁体を回転移動することにより、回転弁体の閉塞部が貫通孔全体を閉塞する回転位置から貫通孔の一部を閉塞する回転位置を経て、貫通孔の全体を閉塞しない回転位置まで回転移動させることにより、閉塞状態から半開放状態を経て全開放状態となる。
【００２４】
尚、回転弁体に対して流れる水の流速は回転弁体を回動させる力が無いため、任意の回転位置はそのままの状態が維持される。このため、作業者は片手持ちグリップ部を把持する手の指で回転弁体を任意の回転位置に変更させた状態が維持されるため、一定の流量を維持させる力は必要なく、散水時の作業者の負担はピストルタイプの散水ノズルに比べて圧倒的に少ない。
【００２５】
また、他のバルブコック部としては、円筒体の一部を切欠いた回転弁体の対向する側面同士を連通する連通孔を形成させ、回転弁体を回転移動するものも挙げられる。即ち、回転弁体の連通孔を対向するグリッド部側流路とヘッド部側流路に対して、閉塞する回転位置から一部を閉塞する回転位置を経て、貫通孔の全体が対向する流路に全開となる回転位置まで回転移動させることにより、閉塞状態から半開放状態を経て全開放状態となる。
【００２６】
本考案の散水ノズルの本体部としては、片手持ちグリップ部と装着される散水ヘッド部とは直線上に配置されるようにしてもよく、湾曲させて配置されるようにしてもよい。また、本体部は、手持ちグリップ部を把持する一方の手と共に他方の手で本体部を支持可能な把持領域を含む長さを備えるものであればよく、好ましくは、散水ヘッド部を含めた散水ノズルの全長が３００〜１５００ｍｍの範囲にあればよく、より好ましくは、４００〜１２００ｍｍの範囲にあればよい。
【００２７】
全長を３００ｍｍ未満にすると、ピストルタイプの散水ノズルと同じように高所への散水の際には、作業者の腕を伸ばさなければならなくなり、１５００ｍｍを超えると、取り回しがし難くなるためである。また、片手持ちグリップ部と装着される散水ヘッド部との間に入れ子式で伸縮するパイプ等で流路を配置させて、長さを変更させるようにしてもよい。
【実施例】
【００２８】
図１は本考案のヘッド部を備えた散水ノズルの一実施例の構成を示す説明図であり、ａ図は全体図、ｂ図はグリップ部の拡大構成図、ｃ図は泡発生容器を接続した状態を示す説明図である。図２は図１の散水ノズルの片手持ちグリップ部の構成を示す説明図であり、ａ図は断面図、ｂ図はバルブコック部の分解図である。
【００２９】
図３は図１のバルブコック部の動作状態を示す断面図であり、ａ図は閉塞時、ｂ図は半開放時、ｃ図は全開放時の状態を示す。図４は図１の散水ノズルのヘッド部の構成を示す説明図であり、ａ図は散水ヘッド部とヘッド角度変更手段との外形図、ｂ図は散水ヘッド部とヘッド角度変更手段との断面図、ｃ図はヘッド角度変更手段の分解構成図、ｄ図は散水ヘッド部の先端面の拡大図である。
【００３０】
図１〜図４に示す通り、本実施例の散水ノズルは、金属製パイプからなる流路管を備えた本体部１０と、この本体部の後端部に設けられ、水道水等の給水手段からの水をホース２２及びコネクター２１を介して取入れるホース連結部１９を備えた中空状の片手持ちグリップ部１１と、本体部１０の先端部に装着された散水ヘッド部１２と、散水ヘッド部１２の噴射方向を流路管１３である金属製パイプに対して変更するヘッド角度変更手段１４とを備える。
【００３１】
本実施例では、散水ヘッド部１２とヘッド角度変更手段１４とから散水ノズル用ヘッド部が構成される。片手持ちグリップ部１１のホース連結部１９から中空の管路１３Ｇを介して、本体部１０の流路管１３に連通し、更に、流路管１３から装着された散水ヘッド部１２内の管路を介して噴出口であるノズル口４１、４２、４３、４４、４５、４６、４７、４８に到達する流路が形成される。
【００３２】
本体部１０としては、７６０ｍｍ程度であり、片手持ちグリップ部１１を把持する一方の手と共に他方の手で本体部１０を把持可能な長さである。
【００３３】
片手持ちグリップ部１１とヘッド角度変更手段１４との間の本体部１０に設けられた片手持ちグリップ部１１を把持する一方の手と共に他方の手で把持するサブグリップ部１５を備える。即ち、本体部１０が長く、散水ヘッド部１２からの水の噴射が本体部１０に対して角度をもたせた場合には、水圧に応じて本体部１０に対して散水ヘッド部１２の水の噴射の反対方向への反動が生じ、片手持ちグリップ部１１のみでの把持だけの散水では作業者の負担が大きくなる。
【００３４】
このため、好ましくは、片手持ちグリップ部１１とヘッド角度変更手段１４との間の本体部１０にサブグリップ部１５を設ける。作業者は、一方の手で片手持ちグリップ部１１を把持し、他方の手でサブグリップ部１５を把持することにより、噴射方向を正確に噴射させたい箇所に向けて散水することができる。
【００３５】
片手持ちグリップ部１１の散水ヘッド部１２側の流路管１３への流路を閉塞可能なバルブコック部１６を備える。このバルブコック部１６としては、回転位置によって流路に対する閉塞状態と開放状態との間で変位可能な円筒体の一部を切欠いた回転弁体１７と、回転弁体１７を片手持ちグリップ部１１を把持する一方の手の指で任意の回転位置に変位可能なレバー部１８とを備える。
【００３６】
図２のａ図及びｂ図に示す通り、具体的なバルブコック部１６としては、バルブコック部内の管路１３Ｇから散水ヘッド部１２側の流路管１３に連通する部分に貫通孔２３を形成し、円筒体の一部を切欠いて残った回転弁体１７の閉塞部２４がこの貫通孔２３の一部又は全てを閉塞する。回転弁体１７を回転移動する。図３に示す通り、回転弁体１７の閉塞部２４が貫通孔２３全体を閉塞するａ図の回転位置から、貫通孔２３の一部を閉塞するｂ図の回転位置を経て、貫通孔２３の全体を閉塞しないｃ図の回転位置まで回転移動させることにより、閉塞状態から半開放状態を経て全開放状態となる。
【００３７】
この場合、回転弁体１７に対して流れる水の流速は回転弁体１７を回動させる力が無いため、任意の回転位置はそのままの状態となる。このため、作業者は片手持ちグリップ部１１を把持する手の親指で回転弁体１７を任意の回転位置に変更させた状態が維持されるため、一定の流量を維持させる力は必要なく、散水時の作業者の負担はピストルタイプの散水ノズルに比べて圧倒的に少ない。
【００３８】
また、図１のｃ図に示す通り、片手持ちグリップ部１１のホース連結部１９に接続し、給水手段からの水の供給手段としてのコネクター２１との間に泡発生容器２０を配している。即ち、洗車においては、水道水で埃や泥を水の勢いで落とした上で、洗浄作用のある泡を車体に吹き付け、車体上の汚れを浮かす作業が行われる。その際に泡発生容器２０を片手持ちグリップ部１１に取付けることで洗車を効率的に行うことができる。
【００３９】
泡発生容器２０は、片手持ちグリップ部１１のホース連結部１９に水道水からの水を供給しつつ水を内部に予め貯留した泡発生剤と混合させて、一定量の混合液を片手持ちグリップ部１１のホース連結部１９に供給するものであればよく、ホース連結部１９及びコネクター２１とを各々に合致させた市販のものを使用することができる。
【００４０】
図４のａ図に示す通り、ヘッド角度変更手段１４は、片手持ちグリップ部１１の本体部１１の流路管１３に連通された管路３３（第１管路）を備えた扁平状の第１の半球体３１（第１容器半体）と、散水ヘッド部１２のノズルヘッド４０に連通された管路３４を備えた扁平状の第２の半球体３２（第２容器半体）とを回動軸３５を中心にして互いに相対回動可能に同一口径の円形開口端同士を突き合わせた構成である。特に、管路３３から第１の半球体３１に至る旋回された流れが、第２の半球体３２から管路３４（第２管路）に至る旋回された流れと同じ旋回方向となるように、図に示す通り、鏡面対称ではなく、回動軸の中心に対して、点対称に配置されている。
【００４１】
即ち、管路３３と第１の半球体３１とは、回動軸３５に対して偏心位置で連通されている。これにより、管路３３を通過した流れが第１の半球体３１内では回動軸３５の周囲を旋回する流れとなって対向する第２の半球体３２に到達する（図４のｂ図）。一方、第２の半球体３２と管路３４とは、回動軸３５に対して偏心位置で連通されている。これにより、第１の半球体３１から第２の半球体３２に到達された流れは旋回しつつ管路３４から流出する。この際、第１の半球体３１の旋回流と、第２の半球体３２の旋回流とが同じ旋回方向となるため、滞り部分がないために水撃が少なく、滑らかな流れとなる。
【００４２】
また、第１の半球体３１と第２の半球体３２とは、互いの開口端同士を突き合わせて回動軸３５部分をネジ３６で回動自在に固定されている。第１の半球体３１の開口端の摺り合わせ面には全周にわたって多数の凹部３７が均等に配置されている。第２の半球体３２の開口端の摺り合わせ面には多数の凹部３７の１つに係合する先端が丸い係合片３８が凹部３７に対して付勢されている。
【００４３】
これにより、第１の半球体３１と第２の半球体３２とは回動軸３５を中心として互いに相対回動することができる。回動する際には、第２の半球体３２の係合片３８が第１の半球体３１の凹部３７の１つにカチカチと係合しながら回動する。この際には、第２の半球体３２に連通された散水ノズル部１２が本体部１０に当接するまでの約３００°の取り回し角度の広範囲の領域を回動することができる。このため、特に、洗車の際にタイヤ周りの泥跳ねの洗浄を行う際に、より深い角度に曲折することができる。
【００４４】
散水ヘッド部１２は、ヘッド部基台３９とノズルヘッド４０とから構成される。ヘッド部基台３９は、ヘッド角度変更手段１４の第２の半球体３２の管路３４に連通した管路５２を備える。ノズルヘッド４０は、ヘッド部基台３９に回動軸部分にネジ４９で回動可能に固定されている。ノズルヘッド４０とヘッド部基台３９とは予め定められた回動位置で回動が止まるように位置決め機構が備わっている。
【００４５】
即ち、位置決め機構としては、ヘッド部基台３９のノズルヘッド４０への対向面には、１つの係止片５１がノズルヘッド４０方向に付勢され、尚且つ、基台側に追い込み可能に配置されている。これにより、ヘッド部基台３９に対してノズルヘッド４０を回動軸周りに回すと、係止片５１がヘッド部基台３９方向に引っ込み１つの凹部５０から離れ、更に回動すると、隣の凹部５０に係止片５１が嵌まって回動が一端止まる。
【００４６】
また、本実施例の散水ヘッド部１２は、ヘッド部基台３９に対して回動可能に設置されたノズルヘッド４０に、８種類のノズル口が設けられており、これによって、８種類の水形の切替えができる。即ち、先端面には８種類のノズル口が搭載されたノズルヘッドを回動して一つのノズル口を流路１３に連通させて、噴射させる。ノズルヘッドを回して水形の変更が可能であり、回すのは右周り左回りどちらでも可能であり、通水時でも切り替えが可能である。係止片５１が凹部５０に嵌まって一端回動が止まる回動位置では、ヘッド部基台３９の管路５２と、８種類のノズル口の１つと連通して、連通されたノズル口から水が噴射することとなる。
【００４７】
ノズル口からの噴射の水形としては、図４のｄ図に示す通り、次のノズル口が配されている。即ち、ストリームノズル口４１は、高圧洗浄に負けない水圧で直線状の水流でピンポイントに汚れを落とすことができる。ミストノズル口４２は、細かい噴霧で空気中の水分を補給することができる。バーティカルノズル口４３は、縦に広がる扇状の水流で高さのある壁や車の側面などに好適である。
【００４８】
フラットノズル口４４は、横に広がる扇状で水流でガーデニングなどの広範囲の散水に好適である。フルノズル口４５は、最も太い噴射孔であり、一度に大量の水が必要なときに好適である。シャワーノズル口４６は、周囲の多数の細かい噴射口からの噴射であり、花・草木の水やりやペットのシャンプー等に好適である。センターノズル口４７は、広がりのある数本の噴射水が噴射され、夏の散水や冬の解氷等、季節を問わず活躍する。コーンノズル口４８は、コーン状の噴射流であり、窓や玄関周りなどの広範囲を掃除に好適である。
【００４９】
図１のａ図に示す本実施例の散水ノズルでは、水道水の蛇口に一端部を連通して固定したホース２２の他端部に装着されたコネクター２１を片手持ちグリップ部１１のホース連結部１９に差し入れて装着する。バルブコック部１６が閉塞されて止水状態となっていることを確認した上で、水道水の蛇口を開く。
【００５０】
バルブコック部１６のレバー部１８を少し開いた状態とすると、回転弁体１７の閉塞部２４が片手持ちグリップ部１１の本体部１０側の貫通孔２３を閉塞していた状態から回動して貫通孔２３が少し開く。ホース２２内から水道水がホース連結部１９を介して、バルブコック部１６の管路１３Ｇから回転弁体１７、貫通孔２３を通過して、本体部１０の流路管１３に至る。
【００５１】
更に流路管１３から流入管路３３を介してヘッド角度変更手段１４の内部を通過して流出管路３４から散水ヘッド部１２の管路５２を通ってノズルヘッドの８種類のうちの一つのノズル口４１、４２、４３、４４、４５、４６、４７、４８から噴射される。ホース内に空気がある場合には、最初に水道水と共に噴射される。水道水のみの噴射となったことを確認してバルブコック部のレバー部１８を全開とする。
【００５２】
本実施例の散水ノズルは、ヘッド角度変更手段１４の第１の半球体３１と第２の半球体３２との相対回動角度が広範囲である。このため、本体部１０の軸方向に対して、散水ヘッド部１２を９０°を超えて曲折させることができる。例えば本体部１０に対して、１２０°曲折させることができるため、洗車の際に散水ノズルを下方にして持つことにより、タイヤハウス内部に下方から上方にかけて噴射させることができる。
【符号の説明】
【００５３】
１０…本体部、
１１…片手持ちグリップ部、
１２…散水ヘッド部、
１３…流路管、
１３Ｇ…管路、
１４…ヘッド角度変更手段、
１５…サブグリップ部、
１６…バルブコック部、
１７…回転弁体、
１８…レバー部、
１９…ホース連結部、
２０…泡発生容器、
２１…コネクター、
２２…ホース、
２３…貫通孔、
２４…閉塞部、
３１…扁平状の第１の半球体（第１容器半体）、
３２…扁平状の第２の半球体（第２容器半体）、
３３…流入管路（第１管路）、
３４…流出管路（第２管路）、
３５…回動軸、
３６…ネジ、
３７…凹部、
３８…係止片、
３９…ヘッド部基台、
４０…ノズルヘッド、
４１…ストリームノズル、
４２…ミストノズル、
４３…バーティカルノズル、
４４…フラットノズル、
４５…フルノズル、
４６…シャワーノズル、
４７…センターノズル、
４８…コーンノズル、
４９…ネジ、
５０…凹部、
５１…係止片、
５２…管路、
【図１】
0003228957.tif 000003
【図２】
0003228957.tif 000004
【図３】
0003228957.tif 000005
【図４】
0003228957.tif 000006